(57)【要約】【課題】一人であっても、放水作業を長時間行なうことができると共に、機動性が高い放水作業を行なうことができる管鎗を提供する。【解決手段】管鎗本体１の先端部１ａ側部分及び基端部１ｂ側部分はそれぞれ直管状にしてあり、管鎗本体の基端部１ｂ側部分は、先端部１ａ側部分の中心軸上の軸から傾き角αが１５°±３°程度になるように傾かせてある。また、支持バー３の先端部側部分は、管鎗本体１の先端部１ａ側部分の中心軸上の軸から、傾き角βが２０°±３°程度になるように傾かせてある。【選択図】図１
2006149658.tif 000002
【特許請求の範囲】
【請求項１】
長手方向の中途位置で屈曲させた筒状の本体を備え、この本体の基端部から内部へ流入させた流体を本体の先端部から放出するようにしてある管鎗において、
前記本体の長手方向の適宜位置の外周面から本体を支持する支持部材を、前記本体の先端部側部分内を貫通する中心軸上の軸に対して、本体の基端部側部分の向きとは異なる向きであって、当該支持部材と前記基端部側部分とがなす角の角度が１８０°未満になるように延出させ、この支持部材の先端に、前記先端部側へ凸の円弧状になした当接部を設けてなり、
前記基端部側部分を横にした状態で、前記当接部を被当接部に当接させ、前記先端部から放水するようにしてあることを特徴とする管鎗。
【請求項２】
前記基端部側部分は、前記軸に対して略１５°になるように傾かせてあり、前記支持部材は、前記軸に対して略２０°になるように傾かせてある請求項１記載の管鎗。
【請求項３】
前記当接部は、環状にしてあり、前記基端部側部分を横にした場合の上部分及び下部分を円弧状にしてある請求項１又は２記載の管鎗。
【請求項４】
前記当接部には、前記基端部側部分を横にした場合の外側部分に把持部が形成してある請求項３記載の管鎗。
【発明の詳細な説明】
【技術分野】
【０００１】
本発明は、消防ホースの先端に取付けられ、放水による反動力を軽減することができる管鎗に関する。
【背景技術】
【０００２】
消火作業において、長時間安定した放水を実現するために、放水による反動を軽減することができる、所謂無反動管鎗が実用化されている。（たとえば、特許文献１参照。）
【０００３】
図６は、従来の他の無反動管鎗の使用状態を示す側面図であり、図中、４０は、消防ホースである。消防ホース４０の基端は、図示しない消防ポンプに連結してあり、該消防ポンプから消防ホース４０内へ消火水等の流体を圧入するようになっている。消防ホース４０の先端側は地面上に配置してあり、消防ホース４０の先端には管鎗２０が取付けてある。
【０００４】
管鎗２０は、長手方向の略中央位置で略３０°屈曲させて、側面視が略く字状になした円筒状の本体２１を備えており、この本体２１の基端に前記消防ホース４０が、また本体２１の先端に吐水口たるノズル３０が、それぞれ着脱可能に連結してある。そして、本体２１の屈曲部頂点の外周面より本体２１の基端側へ、本体２１を支持すべく先端にボールを設けてなる棒状のハンドル２４が、本体２１の先端側部分内を貫通する中心軸と平行に延出させてある。従って、ハンドル２４と本体２１の基端側の中心軸とのなす角度も略３０°である。
【０００５】
このような、管鎗２０にあっては、管鎗２０及びハンドル２４をそれぞれ把持して、管鎗２０を地面から適宜高さ位置に、管鎗２０の基端側を鉛直下方へ向けて支持し、この状態でノズル３０から放水する。このとき、ノズル３０からの放水による反動力Ｒが、管鎗２０の先端側部分の中心軸上であってノズル３０とは反対方向、即ちハンドル２３方向へ生じるが、管鎗２０の本体２１が前述した如く屈曲しているため、反動力Ｒは、鉛直方向の面内において、消防ホース４０の先端部分の中心軸と平行をなし下向きの分力Ｒ１と、この分力Ｒ１と交わり上向きの分力Ｒ２とに分解され、分力Ｒ１は、消防ホース４０の接地摩擦抵抗力によって減じられる。また、消防ホース４０、管鎗２０及びノズル３０並びにそれらの内部を通流する流体の重力によって、消防ホース４０の接地点Ｐを中心に、分力Ｒ２とは反対方向へ回転モーメントが生じるため、この回転モーメントによって分力Ｒ２も減じられる。このように分力Ｒ１及び分力Ｒ２は共に減じられるため、放水時にハンドル２４に印加される力は、前記反動力Ｒの略１／２程度に軽減され、これによって、管鎗２０を一人で保持することができる。
【０００６】
【特許文献１】実開昭５８−１０５３５４号公報
【発明の開示】
【発明が解決しようとする課題】
【０００７】
しかしながら、このような従来の管鎗２０にあっては、ユーザがハンドル２４を手で保持するようにしてあるため、ユーザの手腕への負担が大きく、放水作業を一人で長時間行なうのは困難であった。
【０００８】
また、消防ホース４０の接地位置Ｐにおいて、消防ホース４０の先端部が鉛直軸に対して傾斜している場合、前記分力Ｒ１が十分に減じられないため、残存する分力Ｒ１によって、管鎗２０が横方向へ揺動する虞があった。更に、前述した如く分力Ｒ１は、消防ホース４０の接地摩擦抵抗力によって減じられるため、ノズル３０からの放水位置を変更すべく、消防ホース４０の接地位置を変更した場合、接地摩擦抵抗力が一時的に減少してハンドル２４に印加される力が増大する。そのため、管鎗２０を一人で保持している場合、放水位置の変更は困難であり、放水作業の機動性が低いという問題もあった。
【０００９】
本発明は、斯かる事情に鑑みてなされたものであって、一人であっても、放水作業を長時間行なうことができると共に、機動性が高い放水作業を行なうことができる管鎗を提供する。
【課題を解決するための手段】
【００１０】
請求項１記載の本発明は、長手方向の中途位置で屈曲させた筒状の本体を備え、この本体の基端部から内部へ流入させた流体を本体の先端部から放出するようにしてある管鎗において、前記本体の長手方向の適宜位置の外周面から本体を支持する支持部材を、前記本体の先端部側部分内を貫通する中心軸上の軸に対して、本体の基端部側部分の向きとは異なる向きであって、当該支持部材と前記基端部側部分とがなす角の角度が１８０°未満になるように延出させ、この支持部材の先端に、前記先端部側へ凸の円弧状になした当接部を設けてなり、前記基端部側部分を横にした状態で、前記当接部を被当接部に当接させ、前記先端部から放水するようにしてあることを特徴とする。
【００１１】
請求項２記載の本発明は、前記基端部側部分は、前記軸に対して略１５°になるように傾かせてあり、前記支持部材は、前記軸に対して略２０°になるように傾かせてあることを特徴とする。
【００１２】
請求項３記載の本発明は、前記当接部は、環状にしてあり、前記基端部側部分を横にした場合の上部分及び下部分を円弧状にしてある。
【００１３】
請求項４記載の本発明は、前記当接部には、前記基端部側部分を横にした場合の外側部分に把持部が形成してあることを特徴とする。
【発明の効果】
【００１４】
請求項１記載の本発明では、管鎗は、長手方向の中途位置で屈曲させた筒状の本体の長手方向の適宜位置の外周面から本体を支持する支持部材を、前記本体の先端部側部分内を貫通する中心軸上の軸に対して、本体の基端部側部分の向きとは異なる向きであって、当該支持部材と前記基端部側部分とがなす角の角度が１８０°未満になるように延出させ、この支持部材の先端に、前記先端部側へ凸の円弧状になした当接部を設けてなり、前記基端部側部分を横にした状態で、前記当接部を被当接部に当接させ、前記先端部から放水するようにしてある。
【００１５】
このような管鎗にあっては、前記本体の先端部からの放水による反動力が、本体の先端部側部分の中心軸の軸長方向であって、基端部側へ生じるが、この反動力は、本体の基端部側部分の中心軸と平行をなし、通流方向とは反対へ向かう第１分力と、支持部材の中心軸と平行をなし、支持部材の基端部から先端部側へ向かう第２分力に分解される。このとき、本体の基端部側部分と支持部材とは、本体の先端部側部分の中心軸上の軸を基準に、互いに異なる向きへ傾かせてあるため、前述した第１分力と第２分力とはその一部が互いに相殺され、これによって支持部材に印加される反動力が軽減される。
【００１６】
このように、管鎗に連結した消防ホースの接地摩擦抵抗を利用することなく、放水による反発力を軽減することができるため、管鎗を一人で保持している場合であっても、消防ホースの姿勢に拘らず、管鎗が横方向へ揺動することなく、放水位置を容易に変更することができ、放水作業の機動性が高い。
【００１７】
また、前記本体の先端部側へ凸の円弧状になした当接部をユーザの腰部に当接させて反動力を受けることができる。このとき、当接部が本体の先端部側へ凸の円弧状になしてあるため、腰部の形状に好適に適合し、安定して反動力を受けることが出来るのに加え、ユーザの重心位置に近い腰部で反発力を受けることができ、放水作業を一人で長時間行なうことができる。
【００１８】
請求項２記載の本発明では、前述した基端部側部分は、本体の先端部側部分内を貫通する中心軸上の軸に対して略１５°になるように傾かせてあり、前述した支持部材は、前記軸に対して略２０°になるように傾かせてあるため、前述した第１分力と第２分力との相殺による反動力の軽減効果を維持することができる。一方、両傾きが比較的小さいため、本体の基端部側部分を横にした状態で、当接部を被当接部に当接させ、本体の先端部から放水した場合に、被当接部から本体の先端部側部分及び基端部側部分があまり離隔せず、従って、ユーザが無理な姿勢を採ることなく、即ち、安定して放水を行なうことができる姿勢で、本体の先端部側部分及び基端部に連結した消防ホースを保持することができる。
【００１９】
請求項３記載の本発明では、前述した当接部は環状にしてあるため、反動力を面状に受けることができ、ユーザへの負担を可及的に低減することができる。また、環内へ、ユーザの腰骨の一部を逃がすことができ、ユーザの腰部によりフィットさせることができる。更に、この当接部は、前記本体の基端部側部分を横にした場合の当接部の上部分及び下部分を円弧状にしてあるため、比較的簡単な構成で、ユーザの腰部に対する高い適合性を有することができ、これによって製造コストの上昇を可及的に抑制することができる。
【００２０】
請求項４記載の本発明は、前述した当接部は、本体の基端部側部分を横にした場合の外側部分に把持部が形成してある。したがって、本体の基端部に連結した消防ホースの接地摩擦抵抗を利用して放水による反動力を軽減させるべく、本体の基端部側部分を縦にした場合、前記当接部に形成した把持部は上部に位置し、この把持部を把持して本体を支持することができる。
【発明を実施するための最良の形態】
【００２１】
本発明に係る管鎗にあっては、長手方向の中途位置で屈曲させた筒状の本体を備え、この本体の基端部から内部へ流入させた流体を本体の先端部から放出するようにしてある。この本体の長手方向の適宜位置の外周面から本体を支持する支持部材が、本体の先端部側部分内を貫通する中心軸上の軸に対して、本体の基端部側部分の向きとは異なる向きであって、当該支持部材と前記基端部側部分とがなす角の角度が１８０°未満になるように延出させてあり、この支持部材の先端に、前記先端部側へ凸の円弧状になした当接部が設けてある。そして、本体の基端部側部分を横にした状態で、当接部をユーザの腰部又は壁等の縦姿勢の被当接部に当接させ、本体の先端部から放水するようにしてある。
【００２２】
このとき、前述した支持部材と本体の基端部側部分とは、一の面内で互いに異なる向きになすとよい。これによって、放水による反動力を高効率に分解することができ、反動力をより軽減させることができる。
【００２３】
また、本体の基端部側部分は、前述した軸に対して略１５°、具体的には１５°±３°程度になるように傾かせてあり、支持部材は、前述した軸に対して略２０°、具体的には２０°±３°程度になるように傾かせてある。
【００２４】
この場合、前記当接部と支持部とがなす角の角度は略１２０°、具体的には１２０°±３°程度にするとよい。これによって、前述した両傾き角度において、当接部が被当接部により好適に当接し、放水時にユーザの姿勢を更に安定させることができる。
【００２５】
ところで、前述した当接部は、環状にしてあり、本体の基端部側部分を横にした場合の上部分及び下部分を円弧状にしてある。
【００２６】
更に、前記当接部には、前記基端部側部分を横にした場合の外側部分、即ち環状の当接部の前記本体に対向する内がわの側部分とは反対側の外がわの側部分に、把持部が形成してある。
【００２７】
以後、本発明に係る管鎗について、図面に基づいて詳述する。
【００２８】
図１、図２及び図３は、本発明に係る管鎗を示す一部省略平面図、側面図及び正面図であり、図中、１は、円筒状の管鎗本体である。管鎗本体１は、一端から他端までの直線上の長さ寸法が、例えば３０ｃｍ程度から５０ｃｍ程度になしてあり、先端部１ａに放水用のノズルを、基端部１ｂに消防ホース（いずれも図示せず）をそれぞれ連結させるようになっている。なお、図２及び図３では、後述するバンド１１を省略してある。
【００２９】
管鎗本体１は、長手方向の略中央位置において１５°±３°程度屈曲させて、平面視が略へ字状になしてある。即ち、管鎗本体１の先端部１ａ側部分及び基端部１ｂ側部分はそれぞれ直管状にしてあり、管鎗本体の基端部１ｂ側部分は、先端部１ａ側部分の中心軸上の軸から傾き角αが１５°±３°程度になるように傾かせてある。
【００３０】
管鎗本体１の先端部１ａ側外周面であって、屈曲させた頂点近傍の位置には、上面を平坦になした平台状の固定部２が突設してあり、該固定部２には、管鎗本体１を支持する支持バー（支持部材）３の基端部１ｂが固定螺子７，７によって固定してある。この支持バー３の基端部３ｂは扁平になしてあり、支持バー３は、この基端部３ｂから適宜長だけ管鎗本体１の先端部１ａ側部分の中心軸と平行に管鎗本体１の基端部１ａ側へ突出するように延設し、管鎗本体１を屈曲させた一の面内で、管鎗本体１の先端部１ａ側部分の中心軸上の軸に対して、前記管鎗本体１の屈曲した向きとは異なる向きへ２０°程度になるように屈曲させた後、更に適宜長だけ直線状に延設して、平面視が逆へ字状になしてある。即ち、支持バー３の先端部側部分は、管鎗本体１の先端部１ａ側部分の中心軸上の軸から、傾き角βが２０°±３°程度になるように傾かせてある。
【００３１】
なお、本実施の形態では、へ字状に屈曲させた支持バー３を用いているが、本発明はこれに限らず、前述した支持バー３の先端部側部分を管鎗本体１の外周面の適宜位置に、前述した傾きになるように直接固定してもよい。
【００３２】
この支持バー３の先端には、正面視が環状をなし、ユーザの腰部に当接させる当接部４が取付けてある。当接部４は、図３に示した如く、正面視が縦長長方形状をなしており、横断端面は略円形である。そして、当接部４の一長辺部分の略中央位置の外周面に、前記支持バー３の先端が連結してある。また、当接部４の他長辺部分は、その内周面を手指に応じた波形状にして把持部４ａが形成してある。
【００３３】
図１に示した如く、当接部４の両短辺部分は、平面視が支持バー３側に凸の円弧状にしてあり、これによって、当接部４をユーザの腰部に、当該腰部を包むように当接させることができる。また、当接部４の短辺部分の中央位置における外接線と支持バー３の先端側部分の中心軸とのなす角γは１２０°±３°程度にしてあり、これによって、当接部４の開口が放水姿勢のユーザの腰部に対向するようにしてある。
【００３４】
なお、本実施の形態では、当接部４の形状を縦長長方形状になしてあるが、本発明はこれに限らず、円形、多角形又は板状であってもよい。
【００３５】
また、管鎗本体１の先端部１ａ側部分の外周面及び基端部１ｂ側部分の外周面に半円状の係合部１０，１０が突設してある。そして、両係合部１０，１０にバンド１１の両端に設けたフック１２，１２が着脱自在に係合してあり、バンド１１をユーザの肩部に掛け回して管鎗Ａを吊下し得るようにしてある。
【００３６】
このような管鎗Ａにあっては、図４に示した如く、管鎗本体１の先端部１ａに放水用のノズルＮを、また管鎗本体１の基端部１ｂに消防ホースＨをそれぞれ連結し、管鎗本体１の基端部１ｂを横にした姿勢で、管鎗本体１の先端部１ａ側部分又はノズルＮと、消防ホースＨ又は管鎗本体１の基端部１ｂ側部分とを把持すると共に、当接部４をユーザの腰部に当接させ、ノズルＮから放水を行なう。
【００３７】
この場合、管鎗本体１の先端部１ａからの放水による反動力が、管鎗本体１の先端部１ａ側部分の中心軸の軸長方向であって、基端部１ｂ側へ生じるが、この反動力は、前記一の面内で、管鎗本体１の基端部１ｂ側部分の中心軸と平行をなし、通流方向とは反対へ向かう第１分力と、支持バー３の先端側部分の中心軸と平行をなし、支持バー３の基端部から先端部側へ向かう第２分力に分解される。このとき、本発明に係る管鎗Ａは、前述した如く、管鎗本体１の基端部１ｂ側部分と、支持バー３の先端側部分とは、前記一の面内で、管鎗本体１の先端部１ａ側部分の中心軸上の軸に対して、互いに異なる向きへ傾かせてあるため、前述した第１分力と第２分力とはその一部が互いに相殺され、これによって当接部４に印加される反動力が軽減される。
【００３８】
このように、消防ホースＨの接地摩擦抵抗を利用することなく、放水による反発力を軽減することができるため、管鎗Ａを一人で保持している場合であっても、消防ホース  の姿勢に拘らず、管鎗Ａが横方向へ揺動することなく、放水位置を容易に変更することができ、放水作業の機動性が高い。
【００３９】
また、環状の当接部４をユーザの腰部に当接させて反動力を受けるため、反動力を面状に受けることができ、ユーザへの負担を可及的に低減することができる。また、当接部４の環内へ、ユーザの腰骨の一部を逃がすことができ、ユーザの腰部によりフィットさせることができる。このように、人体の重心位置に近い腰部で反発力を受けることができ、放水作業を一人で長時間行なうことができる。
【００４０】
ここで、図１に示した当接部４の両短辺部分の曲率、γ及びβは、当接部４をユーザの腰部に当接させたとき、当該腰部にかかる負担がより少なくなるように定めてある。そして、図１に示した角αは、角βに応じて、当接部４にかかる反発力の軽減効果を維持しつつ、放水時にユーザが安定した姿勢で管鎗本体１を保持し得るように定めてある。
【００４１】
即ち、βの値が略２０°より小さくなるに従って、当接部４に印加される反動力の軽減量が小さくなり、βの値が略略２０°より大きくなるに従って、当接部が当接されたユーザの腰部から管鎗本体１の先端部１ａ側部分及び基端部１ｂ側部分が離隔するため、放水時に管鎗本体１の先端部１ａ側部分及び基端部１ｂに連結した消防ホースＨを保持する際に、ユーザが無理な姿勢を採らなければならず、安定して放水を行なうことができない。
【００４２】
また同様に、αの値が略１５°より小さくなるに従って、放水による反動力の軽減効果が減少し、αの値が略略１５°より大きくなるに従って、当接部が当接されたユーザの腰部から管鎗本体１の基端部１ｂ側部分が離隔するため、放水時に管鎗本体１の基端部１ｂに連結した消防ホースＨを保持する際に、ユーザが無理な姿勢を採らなければならず、安定して放水を行なうことができない。
【００４３】
ところで、本発明に係る管鎗Ａは、図５に示した如く、管鎗本体１の基端部１ｂに連結した消防ホースＨの接地摩擦抵抗を利用して放水による反動力を軽減させるべく、管鎗本体１の基端部１ｂ側部分を縦にした場合、前記当接部４に形成した把持部４ａは上部に位置するので、この把持部４ａを把持して管鎗本体１を支持することができる。
【００４４】
なお、本実施の形態で示した管鎗ＡはノズルＮを備えない場合を示してあるが、本発明はこれに限らず、放水用のノズルを備える構成にしてもよい。
【図面の簡単な説明】
【００４５】
【図１】本発明に係る管鎗を示す一部省略平面図である。
【図２】本発明に係る管鎗を示す側面図である。
【図３】本発明に係る管鎗を示す正面図である。
【図４】本発明に係る管鎗の使用状態を説明する説明図である。
【図５】本発明に係る管鎗の他の使用状態を説明する説明図である。
【図６】従来の他の無反動管鎗の使用状態を示す側面図である。
【符号の説明】
【００４６】
１    管鎗本体
１ａ  先端部
１ｂ  基端部
２    固定部
３    支持バー
３ｂ  基端部
４    当接部
７    螺子
１０  係合部
１１  バンド
１２  フック
Ａ    管鎗
Ｎ    ノズル
Ｈ    消防ホース
【図１】
2006149658.tif 000003
【図２】
2006149658.tif 000004
【図３】
2006149658.tif 000005
【図４】
2006149658.tif 000006
【図５】
2006149658.tif 000007
【図６】
2006149658.tif 000008